(57)【要約】      （修正有）【課題】工事現場や祭会場等の仮設照明に好適なＬＥＤ照明器具であって、壊れにくく、多数のＬＥＤ照明器具の縦続接続が容易で取り付けも簡単なＬＥＤ照明器具を提供する。【解決手段】２本の電源線を配した細長板状の配線基板と、ＬＥＤと抵抗を直列接続した複数の発光体と、取り付け具３０で構成する。発光体は配線基板上に並列接続で取り付け、配線基板の両端外側には各２個のコネクタ電極を備える同形状のコネクタを配する。電源線は一対のコネクタの一方から電源供給を受け、両端コネクタの同じコネクタ電極間には専用の電源配線を張り渡す。取り付け具３０は複数の取り付け穴を設けた矩形の取り付け板と結束バンドと磁石で構成し、取り付け板の長手方向一端に磁石を取り付ける。ＬＥＤ照明器具１本体を結束バンドで縛り、取り付け板の取り付け穴を利用して取り付け板に固定する。【選択図】図８
0003187020.tif 000002
【実用新案登録請求の範囲】
【請求項１】
細長い発光源を有するＬＥＤ照明器具であって、プラス、マイナス電源を供給する２本の電源線を配した細長い矩形板状の配線基板と、
ＬＥＤと抵抗を直列接続し、前記電源線から電源供給を受けて発光するように前記配線基板上に並列接続で取り付けた複数の発光体と、
各２個のコネクタ電極を備えて前記配線基板の両端外側に配置された同形状の一対のコネクタと、
該両端のコネクタの同じ電極間を直接に接続する電源ケーブルと、
前記配線基板、コネクタ、電源ケーブルからなるＬＥＤ照明器具本体を壁面等に取り付けるための２乃至３個の取り付け具とを備えて構成され、
前記電源線は前記一対のコネクタの一方から電源供給を受け、
前記各取り付け具は、複数の取り付け穴を設けた矩形の取り付け板と結束バンドと磁石とからなり、前記ＬＥＤ照明器具本体を結束バンドで縛り、取り付け板の取り付け穴を利用して取り付け板に固定するもので、取り付け板の長手方向一端における固定されたＬＥＤ照明器具本体とは反対面には鉄製壁面等に吸着させるための前記磁石が取り付けてあることを特徴とするＬＥＤ照明器具。
【請求項２】
請求項１に記載のＬＥＤ照明器具において、前記取り付け板における前記磁石が取り付けられた長手方向一端とは反対側の端部には、取り付け板をフックに掛けるための丸穴が形成してあることを特徴とするＬＥＤ照明器具。
【請求項３】
請求項２に記載のＬＥＤ照明器具において、前記取り付け板における前記磁石を無くした構成のＬＥＤ照明器具。
【考案の詳細な説明】
【技術分野】
【０００１】
本考案は、ＬＥＤ（発光ダイオード）を使用して長手方向に細長い発光源を構成したＬＥＤ照明器具であって、特に、工事現場等に取り付けやすいように取り付け具を追加装備したＬＥＤ照明器具に関する。
【背景技術】
【０００２】
照明用の光源としてしては直管型の蛍光灯が長く主流であったが、近年、省エネ及び寿命の観点から直管内に発光源としてＬＥＤを配置した直管型のＬＥＤ照明灯が開発された。この直管型ＬＥＤ照明灯は、ガラスや樹脂で形成した細長い円筒状透光管の内部に多数のＬＥＤを搭載した回路基板を挿入したものである。従来の直管型蛍光灯と互換性をもたせる場合は、回路基板上にＬＥＤを発光させる点灯回路を搭載し、透光管の両端部に従来の蛍光管と同じ口金を取り付ける（例えば、特許文献１、２参照）。
【０００３】
このような直管型ＬＥＤ照明灯は、従来の直管式蛍光灯と互換性があって室内照明には
使い勝手が良い。しかし、このような直管型ＬＥＤ照明灯をトンネル工事、上下水道工事、橋梁架設工事等の工事現場、祭などの催し物会場おける仮設照明に使用するには問題がある。ガラスや樹脂製の円筒状透光管はこうした場所では壊れやすい。また、こうした場所では多数の照明灯を必要とするが、多数の仮設照明灯のための取り付け個所、取り付け具は準備されていないのが普通である。互換性のある直管型ＬＥＤ照明灯ではその取り付け、固定が容易でなく、それらに電源供給する仮設ケーブルの配線にも多くの困難が伴う。
【先行技術文献】
【特許文献】
【０００４】
【特許文献１】特開２０１１−１６５６３４号公報
【特許文献２】実用新案登録第３１４２６５２号公報
【考案の開示】
【考案が解決しようとする課題】
【０００５】
本考案は、従来技術のこうした問題点を解決するためになされたもので、その課題は工事現場や臨時の催し物会場等で必要とする仮設照明に使用するのに適したＬＥＤ照明器具であって、壊れにくく、取り付けが容易で、多数取り付けた照明灯への電源供給も容易なＬＥＤ照明器具を提供することにある。
【課題を解決するための手段】
【０００６】
前記課題を解決するための請求項１に記載の考案は、細長い発光源を有するＬＥＤ照明器具であって、プラス、マイナス電源を供給する２本の電源線を配した細長い矩形板状の配線基板と、ＬＥＤと抵抗を直列接続し、前記電源線から電源供給を受けて発光するように前記配線基板上に並列接続で取り付けた複数の発光体と、各２個のコネクタ電極を備えて前記配線基板の両端外側に配置された同形状の一対のコネクタと、該両端のコネクタの同じ電極間を直接に接続する電源ケーブルと、前記配線基板、コネクタ、電源ケーブルからなるＬＥＤ照明器具本体を壁面等に取り付けるための２乃至３個の取り付け具とを備えて構成され、前記電源線は前記一対のコネクタの一方から電源供給を受け、前記各取り付け具は複数の取り付け穴を設けた矩形の取り付け板と結束バンドと磁石とからなり、前記ＬＥＤ照明器具本体を結束バンドで縛り、取り付け板の取り付け穴を利用して取り付け板に固定するもので、取り付け板の長手方向一端における固定されたＬＥＤ照明器具本体とは反対面には鉄製壁面等に吸着させるための前記磁石が取り付けてあることを特徴とするＬＥＤ照明器具である。
【０００７】
このような構成によれば、左右のコネクタの電極間を直接に繋ぐ電源ケーブルには太めの電線を使用できることからＬＥＤ照明器具を配線ケーブルを中間に介して縦続接続し、下流側のＬＥＤ照明器具に大電流を供給できる。これにより多数のＬＥＤ照明器具を一斉点灯させることができる。また、ＬＥＤ照明器具の左右のコネクタは同一、対称であることから２個のＬＥＤ照明器具を縦続接続する際の配線ケーブル両端のコネクタにも同一、対称なコネクタを使用できる。このため多数のＬＥＤ照明器具を配線ケーブルを使用して縦続接続する際、ＬＥＤ照明器具、配線ケーブルの左右のコネクタが雄、雌のどのタイプかを気にする必要がなく、縦続接続作業を容易に行なうことができる。更に、発光部がガラス管や樹脂管を使用していないため衝撃に強く、工事現場、催し物会場等の衝撃の加わりやすい場所での仮設照明に適している。また、ＬＥＤ照明器具には磁石付きの取り付け具が取り付けてあるので工事現場等に多い鉄製の壁面、天井、鉄製の型枠等に簡単に吸着取り付けできる。鉄製の壁面等がない場合には、小さい鉄板片を接着剤で仮付けすることでその上に磁石を利用して簡単に取り付けることができる。更に、隣り合うＬＥＤ照明器具間はＬＥＤ照明器具の両端コネクタを利用するコネクタ付き配線ケーブルで接続できるため、ＬＥＤ照明器具間の距離が短い場合はそれら配線ケーブルを支持する支持具を必要としない利点も有する。
【０００８】
また、請求項２に記載の考案は、請求項１に記載のＬＥＤ照明器具において、前記取り付け板における前記磁石が取り付けられた長手方向一端とは反対側の端部には、取り付け板をフックに掛けるための丸穴が形成してあることを特徴とするＬＥＤ照明器具である。
【０００９】
このような構成によれば、壁面にフックを取り付けることで矩形取り付け板の丸穴を利用してＬＥＤ照明器具を簡単に取り付けることができる。
【００１０】
また、請求項３に記載の考案は、請求項２に記載のＬＥＤ照明器具において、前記取り付け板における前記磁石を無くした構成のＬＥＤ照明器具である。
【００１１】
磁石が吸着しない個所にフックを利用して取り付ける場合には磁石は不用であるので、磁石を無くすことで製品コストを下げることができる。
【図面の簡単な説明】
【００１２】
【図１】本考案に係るＬＥＤ照明器具１の発光面側の外観図である。
【図２】ＬＥＤ照明器具１の背面側の外観図である。
【図３】ＬＥＤ照明器具１の接続図である。
【図４】発光体６が取り付けられた部分の縦断面図である。
【図５】ＬＥＤ４と抵抗５の配線基板９上への取り付け状態を示す平面図である。
【図６】２個のＬＥＤ照明器具１間を繋ぐ配線ケーブル２５の外観図である。
【図７】配線ケーブル２５とＬＥＤ照明器具１の接続状態を示す図である。
【図８】取り付け具３０を備えたＬＥＤ照明器具１ａの平面図である。
【図９】磁石３１を取り付けた取り付け板３２と結束バンド３３の外観図である。
【図１０】図８のＡ−Ａ線に沿った断面図である。
【図１１】薄い鉄板４０を用いたＬＥＤ照明器具１ａの取り付け方の説明図である。
【図１２】小さな鉄板片４１を用いたＬＥＤ照明器具１ａの取り付け方の説明図である。
【図１３】壁面４２にフック４３を貼り付けたＬＥＤ照明器具１ａの取り付け断面図である。
【図１４】図１３において磁石３１を無くした場合の取り付け断面図である。
【考案を実施するための形態】
【００１３】
以下、本考案に係るＬＥＤ照明器具の一実施形態について図面を参照して説明する。図１は本考案に係るＬＥＤ照明器具１の発光面側の外観図、図２はその背面側の外観図である。ＬＥＤ照明器具１は、照明本体部２とその両端外側に配置した一対のコネクタ３とを備えて構成される。照明本体部２は断面が略矩形で細長形状をしている。長さは約６５０ｍｍである。発光面側にはＬＥＤ（発光ダイオード）４と抵抗５の直列接続回路からなる発光体６が６０個、等間隔で取り付けてある。
【００１４】
図３はＬＥＤ照明器具１の電気的な接続図である。両端外側の一対のコネクタ３は同一形状、同一構成のコネクタである。各コネクタ３は２個のコネクタ電極を有し、そのコネクタ電極は共に雄型、又は共に雌型、又は一方が雄型で他方が雌型である。左右のコネクタ３の同一位置にある２個のコネクタ電極間には２本の電源配線７ａ、７ｂ（電源ケーブル）が張り渡してある。この電源配線７ａ、７ｂは、専ら一方のコネクタ３に供給された電源を他方のコネクタ３に受け渡すためのものである。コネクタ電極が雄型と雌型の組み合わせである場合は、左右の雄型同士、雌型同士が電源配線７ａ、６ｂで接続される。
【００１５】
発光体６は６個のＬＥＤ（発光ダイオード）４と抵抗５を直列接続したもので、細長い配線基板９上に取り付けてある。配線基板９上には２本の電源配線１０ａ、１０ｂがプリント配線で設けられている。その電源配線１０ａ、１０ｂは一方のコネクタ３近くの電源配線７ａ、７ｂにリード線１３で接続してあり、そこからプラスとマイナスの電源供給を受ける。６０個の発光体６は電源配線１０ａ、１０ｂ間に並列に接続されている。
【００１６】
図４は発光体６が取り付けられている部分の縦断面図、図５は発光体６を構成するＬＥＤ４と抵抗５の配線基板９上での取り付け状態を示す平面図である。細長い配線基板９上には銅箔のプリント配線による電源配線１０ａ、１０ｂが張り渡してあり、その間にＬＥＤ４と抵抗５が直列接続で接続してある。電源配線１０ａ、１０ｂの基端部は２本のリード線１３で一方のコネクタ３近くの電源配線１０ａ、１０ｂに接続されている。配線基板９は断面凹型のアルミ製放熱器１５の内側に取り付けてある。電源配線１０ａ、１０ｂ、と発光体６上には凹型アルミ製放熱器１５の両側上端の高さまで透明シリコン樹脂１６が充填されている。更に、粉塵や水の浸入を防ぐためアルミ製放熱器１５、透明シリコン樹脂１６、発光体６の表面全体を覆って透明なシリコン樹脂によるコーティング膜１３が形成してある。断面全体の横幅は１８ｍｍ、厚みは４ｍｍ程度である。
【００１７】
左右のコネクタ３を直接につなぐ２本の電源配線７ａ、７ｂは、図２に示すようにアルミ製放熱器１５の背面側に配したコルゲート電線管２０の中に通してある。コルゲート電線管２０は、数個所に配した結束バンド２１によりアルミ製放熱器１５に固定されている。また、照明本体部２の両端部には照明本体部２、コルゲート電線管２０、２本の電源配線７ａ、７ｂ、２本のリード線１３の全体を覆う透明な熱収縮チューブ２２が取り付けられ、端部からの粉塵や水の浸入を防いでいる。
【００１８】
本実施形態のＬＥＤ照明器具１は、多数の照明を必要とする工事現場などで使用するのに適した照明器具である。多数のＬＥＤ照明器具１を接続して電源供給を行なうためには、縦続接続するＬＥＤ照明器具１間を図６に示すような配線ケーブル２５で繋ぐ。配線ケーブル２５は、両端にＬＥＤ照明器具１のコネクタ３に勘合するコネクタ２６が取り付けられ、その間がケーブルで接続してある。配線ケーブル２５は保護のためコルゲート電線管２０に通すとよい。左右のコネクタ２６はＬＥＤ照明器具１のコネクタ３に対応して同一形状、対称なコネクタである。図７に示すように配線ケーブル２５のコネクタ２６をＬＥＤ照明器具１の一方のコネクタ３に勘合させ、ＬＥＤ照明器具１の他方のコネクタ３に別の配線ケーブル２５のコネクタ２６を勘合させる。この繰り返しにより多数のＬＥＤ照明器具１を縦続接続する。そして、最初の配線ケーブル２５のコネクタ２６に直流電源からプラス、マイナスの電源を供給する。これにより接続した全てのＬＥＤ照明器具１に電源が供給されて全ての発光体６が点灯する。
【００１９】
図８は、このような構成のＬＥＤ照明器具１を壁面等に取り付けるための取り付け具３０を追加したＬＥＤ照明器具１ａの平面図である。取り付け具３０は、ＬＥＤ照明器具１の長手方向の２乃至３個に取り付けられる。取り付け具３０は、図９の（１）に示す磁石３１を取り付けた取り付け板３２と、図９の（２）に示す結束バンド３３で構成される。取り付け板３２は合成樹脂製の細長い矩形板で、その長手方向一端の片面には磁石３１が固定取り付けしてある。また、取り付け板３２には、結束バンド３３にてＬＥＤ照明器具１を縛って取り付け板３２に固定する際に利用する取り付け穴３４が少なくとも２個所形成してある。
【００２０】
図１０は、図８におけるＡ−Ａ線に沿った断面図である。照明本体部２とその背面に取り付けられた２本の電源配線７ａ、７ｂを通すコルゲート電線管２０を備えるＬＥＤ照明器具１（ＬＥＤ照明器具本体）を結束バンド３３でもって取り付け板３２に縛りつける。ＬＥＤ照明器具１を壁面の高い位置に取り付ける場合には、照明本体部２からの光が斜め下方向に向かうように、照明本体部２の発光面を取り付け板３２の表面に対して少し傾けて固定しておくとよい。
【００２１】
このような取り付け具３０を備えたＬＥＤ照明器具１ａは、取り付け面が磁石３１を吸着させる金属でできている場合には磁石３１を吸着させることで簡単に取り付けができる。壁面が磁石３１を吸着させる材料でできていない場合は、図１１に示すように幅狭の薄い鉄板４０を壁面に接着剤で貼り付け、その上に磁石３１を吸着させてＬＥＤ照明器具１ａを取り付ける。幅狭の薄い鉄板４０の代わりに図１１に示すように磁石３１を吸着させるに十分な大きさの鉄板片４１を用いてもよい。
【００２２】
取り付け具３０には図９の（１）に示すように、取り付け板３２における磁石３１が取り付けられた長手方向一端とは反対側の端部に、丸穴３５が形成してある。磁石３１を吸着させて取り付ける代わりに、この丸穴３５を利用してＬＥＤ照明器具１ａをフックを取り付けた壁面に取り付けることもできる。図１３は壁面４２にフック４３を接着剤で貼り付け、そのフック４３を取り付け板３２の丸穴３５に通して掛けるようにした断面図である。この場合、磁石３１が不用であれば、図１４示すように磁石３１を無くした構成としてもよい。図１３、図１４のように掛ける場合のＬＥＤ照明器具１ａの姿勢は、図１１に示す姿勢から１８０°旋回させたものとなり、左右のコネクタが入れ替わる。しかし、本実施形態のＬＥＤ照明器具１ａでは、左右のコネクタは対称に構成してあるので左右が入れ替わったとしてもＬＥＤ照明器具１ａ相互間を繋ぐコネクタ付き配線ケーブル２５は左右反対にすることなく、そのまま接続できる。
【００２３】
以上説明した本実施形態のＬＥＤ照明器具１、取り付け具３０を備えたＬＥＤ照明器具１ａでは、左右のコネクタ３間に専用の電源配線７ａ、７ｂが張り渡してあり、一方のコネクタ３に供給された電源は自己消費分を除いてこの電源配線７ａ、７ｂを通って大部分が次のＬＥＤ照明器具１に受け渡されていく。この電源配線７ａ、７ｂはプリント配線ではなく専用の電線で構成されているので、電流容量の大きい太い電線を使用できる。工事現場などでは数十本のＬＥＤ照明器具を必要とすることがある。数十本も接続した場合には直流電源に近いＬＥＤ照明器具１の電源配線には大電流が流れる。電源配線がプリント配線で構成されていたのではそうした大電流を流すことは不可能である。本実施形態のＬＥＤ照明器具１、１ａは専用の電源配線７ａ、７ｂを張り渡しているので、太い電線を使用して大電流を流すことができる。このため多数のＬＥＤ照明器具１の縦続接続が容易である。
【００２４】
また、本実施形態のＬＥＤ照明器具１では左右のコネクタ３に同一、対称なコネクタを使用している。従って、配線ケーブル２５のコネクタ２６の左右のコネクタにも同一、対称なコネクタを使用できる。このため多数のＬＥＤ照明器具１を配線ケーブル２５を使用して縦続接続する際にＬＥＤ照明器具１、配線ケーブル２５の左右のコネクタが雄、雌のどの型かを気にかける必要はなく、縦続接続作業を容易に行なうことができる。更に、発光体６はガラス管や樹脂管の中に封入されていないため少し位の衝撃では壊れない利点も有する。
【００２５】
また、本実施形態の取り付け具３０を備えたＬＥＤ照明器具１ａでは、取り付け具３０に磁石３１が取り付けてあるので、磁石が吸着する壁面であればそのまま簡単に取り付けできる。磁石が吸着しない壁面の場合は、幅狭の薄い鉄板を貼り付けたり、磁石３１を吸着させる部分にのみ小さな鉄板片を貼り付けたりしてその上に磁石３１を吸着させて簡単に取り付けることができる。また、磁石で吸着させることに代えてフック４３を壁面に貼り付け取り付けし、それに掛けて取り付けることもできる。こうした様々な利点から本実施形態の取り付け具３０を備えたＬＥＤ照明器具１ａは、トンネル工事、上下水道工事、橋梁架設工事等の工事現場、祭などの催し物会場おける仮設照明として好適である。
【符号の説明】
【００２６】
図面中、１、１ａはＬＥＤ照明器具、２は照明本体部、３はコネクタ、４はＬＥＤ、５は抵抗、６は発光体、７ａ、７ｂは電源線（電源ケーブル）、９は配線基板、１０ａ、１０ｂは配線基板上の電源線、１３はリード線、１５は放熱器、２０はコルゲート電線管、２１は結束バンド、２２は透明熱収縮チューブ、２６はコネクタ、３０は取り付け具、３１は磁石、３２は取り付け板、３３は結束バンド、３４は取り付け穴、４３はフックを示す。
【図１】
0003187020.tif 000003
【図２】
0003187020.tif 000004
【図３】
0003187020.tif 000005
【図４】
0003187020.tif 000006
【図５】
0003187020.tif 000007
【図６】
0003187020.tif 000008
【図７】
0003187020.tif 000009
【図８】
0003187020.tif 000010
【図９】
0003187020.tif 000011
【図１０】
0003187020.tif 000012
【図１１】
0003187020.tif 000013
【図１２】
0003187020.tif 000014
【図１３】
0003187020.tif 000015
【図１４】
0003187020.tif 000016